(57)【特許請求の範囲】
【請求項１】
複数の通信チャネルにより接続された第１通信器と第２通信器との間で共有すべきデータのビット対応を確立する同期制御方法において、
ａ）前記第１通信器は、それぞれビットタイミングが相対的に定められた複数のビット列からなる第１データを一の通信チャネルを通して前記第２通信器へ送信し、前記第２通信器は前記一の通信チャネルを通して前記第１通信器から受信した第２データを保存し、
ｂ）前記第１通信器と前記第２通信器との間のビットタイミング差である第１同期ずれと、前記第２通信器内のビットタイミング差である第２同期ずれと、を仮設定し、
ｃ）仮設定された前記第１同期ずれおよび前記第２同期ずれを所定調整範囲内で順次変更しながら、前記第２データの一部とそれに対応する前記第１データとを照合し、
ｄ）前記照合結果に基づいて前記第１同期ずれおよび前記第２同期ずれを確定する、
ことを特徴とする同期制御方法。
【請求項２】
前記ｃ）は、
ｃ．１）仮設定された前記第１同期ずれおよび仮設定された前記第２同期ずれを用いて、前記第２データの一部のビットタイミングにそれぞれ対応する前記第１データのビットタイミングを決定し、
ｃ．２）前記第２データの前記一部の値とそれらに対応する前記第１データの値とを照合し、
ｃ．３）仮設定された前記第１同期ずれおよび仮設定された前記第２同期ずれの少なくとも一方を所定ステップ変化させ、
ｃ．４）前記ｃ．１）〜ｃ．３）を前記所定調整範囲内で繰り返す、
ことを特徴とする請求項１に記載の同期制御方法。
【請求項３】
前記ｄ）は、前記照合結果のうち最も良好な照合結果をもたらす仮設定された第１同期ずれおよび第２同期ずれを同期確立された前記第１同期ずれおよび前記第２同期ずれとして決定する、ことを特徴とする請求項１または２に記載の同期制御方法。
【請求項４】
前記ｃ）は、
ｃ．１）仮設定された前記第１同期ずれおよび仮設定された前記第２同期ずれを用いて、前記第２データの一部のビットタイミングにそれぞれ対応する前記第１データのビットタイミングを決定し、
ｃ．２）前記第２データの前記一部の値とそれらに対応する前記第１データの値とを照合し、
ｃ．３）前記照合結果が所定の閾値より良好でない場合には、仮設定された前記第１同期ずれおよび仮設定された前記第２同期ずれの少なくとも一方を所定ステップ変化させ、
ｃ．４）前記ｃ．１）〜ｃ．３）を前記所定調整範囲内で繰り返し、
前記ｄ）は、
前記ｃ．２）で得られた前記照合結果が前記所定の閾値より良好である場合には、当該照合結果をもたらす仮設定された第１同期ずれおよび第２同期ずれを同期確立された前記第１同期ずれおよび前記第２同期ずれとして決定する、
ことを特徴とする請求項１に記載の同期制御方法。
【請求項５】
前記所定調整範囲内で、前記ｃ．２）で得られた前記照合結果が前記所定の閾値より良好にならなかった場合には処理を中断することを特徴とする請求項４に記載の同期制御方法。
【請求項６】
前記ｃ）およびｄ）は、
ｅ．１）仮設定された前記第１同期ずれおよび仮設定された前記第２同期ずれを用いて、前記第２データの一部のビットタイミングにそれぞれ対応する前記第１データのビットタイミングを決定し、
ｅ．２）前記第２データの前記一部の値とそれらに対応する前記第１データの値とを照合し、
ｅ．３）前記照合結果が第１閾値より良好でない場合には、仮設定された前記第１同期ずれを所定ステップ変化させ、
ｅ．４）前記ｅ．１）〜ｅ．３）を前記第１同期ずれの所定調整範囲内で繰り返し、
ｅ．５）前記ｅ．２）で得られた前記照合結果が前記第１閾値より良好である場合には、当該照合結果をもたらす仮設定された第１同期ずれを同期確立された前記第１同期ずれとして決定し、
ｅ．６）前記ｅ．２）で得られた前記照合結果が前記第１閾値より良好で、かつ、第２閾値より良好でない場合には、仮設定された前記第２同期ずれを所定ステップ変化させ、
ｅ．７）前記第２データの前記一部の値とそれらに対応する前記第１データの値とを照合し、
ｅ．８）前記ｅ．７）で得られた前記照合結果が前記第２閾値より良好でない場合には、前記ｅ．６）〜ｅ．７）を前記第２同期ずれの所定調整範囲内で繰り返し、
ｅ．９）前記ｅ．７）で得られた前記照合結果が前記第２閾値より良好である場合には、当該照合結果をもたらす仮設定された第２同期ずれを同期確立された前記第２同期ずれとして決定する、
ことを特徴とする請求項１に記載の同期制御方法。
【請求項７】
前記第１同期ずれの所定調整範囲内で前記ｅ．２）で得られた前記照合結果が前記第１閾値より良好にならなかった場合、あるいは、前記第２同期ずれの所定調整範囲内で前記ｅ．７）で得られた前記照合結果が前記第２閾値より良好にならなかった場合には処理を中断することを特徴とする請求項６に記載の同期制御方法。
【請求項８】
複数の通信チャネルにより接続された第１通信器と第２通信器との間で共有すべきデータのビット対応を確立する同期制御方法において、
前記第１通信器は、
それぞれビットタイミングが相対的に定められた複数のビット列からなる第１データを一の通信チャネルを通して前記第２通信器へ送信し、
前記第１通信器と前記第２通信器との間のビットタイミング差である第１同期ずれを仮設定し、
前記第２通信器は、
前記一の通信チャネルを通して前記第１通信器から受信した第２データを保存し、
前記第２通信器内のビットタイミング差である第２同期ずれを仮設定し、
仮設定された第２同期ずれが所定調整範囲で変化した場合の前記第２データの一部を前記第１通信器へ送信し、
前記第１通信器は、
仮設定された第１同期ずれを所定調整範囲内で変化させながら、前記第２通信器から受信した前記第２データの一部とそれに対応する前記第１データとを照合し、
前記照合結果に基づいて前記第１同期ずれおよび前記第２同期ずれを確定する、
ことを特徴とする同期制御方法。
【請求項９】
複数の通信チャネルにより接続された第１通信器と第２通信器との間で共有すべきデータのビット対応を確立する同期制御システムにおいて、
前記第２通信器は、
それぞれビットタイミングが相対的に定められた複数のビット列からなる第１データを一の通信チャネルを通して前記第１通信器から受信する受信手段と、
受信したデータを第２データを格納する格納手段と、
前記第２通信器内のビットタイミング差である第２同期ずれを仮設定し、仮設定された第２同期ずれが所定調整範囲で変化した場合の前記第２データの一部を生成する生成手段と、
前記第２データの一部を前記第１通信器へ送信する送信手段と、
を有し、
前記第１通信器は、前記第１通信器と前記第２通信器との間のビットタイミング差である第１同期ずれを仮設定し、仮設定された第１同期ずれを所定調整範囲内で変化させながら、前記第２通信器から受信した前記第２データの一部とそれに対応する前記第１データとを照合し、前記照合結果に基づいて前記第１同期ずれおよび前記第２同期ずれを確定する制御手段を有する、
ことを特徴とする同期制御システム。
【請求項１０】
送信器と受信器とが光伝送路を介して接続され、複数の通信チャネルにより通信を行う通信システムにおいて、
前記送信器は、
それぞれビットタイミングが相対的に定められた複数のビット列からなる第１データおよび第２データを格納する第１格納手段と、
前記第１および第２データに従って光信号を変調する第１変調手段と、
変調された光信号を一の通信チャネルを通して前記受信器へ送信する第１通信手段と、
前記受信器との間で他の通信チャネルを通してデータ通信を行うための第１送受信手段と、
を有し、
前記受信器は、
第３データを格納する第２格納手段と、
前記一の通信チャネルを通して前記送信器から光信号を受信する第２通信手段と、
前記受信した光信号を前記第３データに従って変調する第２変調手段と、
前記受信した光信号と前記第２変調手段により変調された光信号とに基づいて第４データを検出する光検出手段と、
前記第４データを格納する第３格納手段と、
前記送信器との間で前記他の通信チャネルを通してデータ通信を行うための第２送受信手段と、
前記第２変調手段と前記光検出手段との間のビットタイミング差である第２同期ずれを仮設定し、仮設定された第２同期ずれが所定調整範囲で変化した場合の前記第３データおよび第４データの一部を前記送信器へ送信する受信側制御手段と、
を有し、
前記送信器は、さらに、
前記第１変調手段と前記光検出手段との間のビットタイミング差である第１同期ずれを仮設定し、仮設定された第１同期ずれを所定調整範囲内で変化させながら、前記受信器から受信した前記第３データおよび前記第４データの一部と、それに対応する前記第１データおよび前記第２データと、を照合し、前記照合結果に基づいて前記第１同期ずれおよび前記第２同期ずれを確定する送信側制御手段を有する、
ことを特徴とする通信システム。
【請求項１１】
請求項１０に記載の通信システムにおける送信器。
【請求項１２】
請求項１０に記載の通信システムにおける受信器。
【請求項１３】
コンピュータに、複数の通信チャネルにより接続された第１通信器と第２通信器との間で共有すべきデータのビット対応を確立する同期制御を実行させるためのプログラムにおいて、
それぞれビットタイミングが相対的に定められた複数のビット列からなる第１データを一の通信チャネルを通して第１通信器から第２通信器へ送信することで前記第２通信器が受信したデータを第２データとして保存するステップと、
前記第１通信器と前記第２通信器との間のビットタイミング差である第１同期ずれと、前記第２通信器内のビットタイミング差である第２同期ずれと、を仮設定するステップと、
仮設定された前記第１同期ずれおよび前記第２同期ずれを所定調整範囲内で順次変更しながら、前記第２データの一部とそれに対応する前記第１データとを照合するステップと、
前記照合結果に基づいて前記第１同期ずれおよび前記第２同期ずれを確定するステップと、
を有することを特徴とする同期制御プログラム。
【発明の詳細な説明】
【技術分野】
【０００１】
本発明は送信器から受信器へ伝送路を通してデータを送信する通信システムにかかり、特に送信器と受信器との間で送受信データのビット対応を確立するための同期制御方法およびシステムに関する。
【背景技術】
【０００２】
急激な成長を続けるインターネットは、便利である反面、その安全性に大きな不安を抱えており、通信の秘密保持の為に暗号技術の必要性が高まっている。現在一般的に用いられている暗号方式は、ＤＥＳ(Data Encryption Standard)やTriple ＤＥＳといった秘密鍵暗号と、ＲＳＡ(Rivest Shamir Adleman)や楕円曲線暗号の様な公開鍵暗号に分類される。しかしこれらは「計算の複雑性」を元にその安全性を保証する暗号通信方法であり、膨大な計算量や暗号解読アルゴリズムの出現によって解読されてしまう危険性を常に孕んでいる。こういった背景の下、量子暗号鍵配布システム(ＱＫＤ)は、「絶対に盗聴されない」暗号鍵配布技術として注目されている。
【０００３】
ＱＫＤでは一般に通信媒体として光子を使用し、その偏光、位相等の量子状態に情報を載せて伝送を行う。伝送路の盗聴者は伝送中の光子をタッピングする等して情報を盗み見るが、Heisenbergの不確定性原理により、１度観測されてしまった光子を完全に観測前の量子状態に戻すことは不可能となり、このことによって正規の受信者が検出する受信データの統計値に変化が生じる。この変化を検出することにより受信者は伝送路における盗聴の有無を検出することができる。
【０００４】
光子の位相を利用した量子暗号鍵配布方法の場合、送信者および受信者（以下、通例に従ってそれぞれ「Ａｌｉｃｅ」および「Ｂｏｂ」称する。）で光学干渉計を組織し、各々の光子にＡｌｉｃｅおよびＢｏｂでそれぞれランダムに位相変調を施す。この変調位相深さの差によって出力０あるいは１が得られ、その後、出力データを測定したときの条件の一部分をＡｌｉｃｅとＢｏｂとで照合することによって最終的にＡｌｉｃｅ−Ｂｏｂ間で同一ビット列を共有することができる。次に、ＢＢ８４プロトコルと呼ばれる最も代表的な量子暗号鍵配送アルゴリズムについて簡単に説明する（非特許文献１参照）。
【０００５】
図１１はＢＢ８４プロトコルによる量子暗号鍵配布方法の概念を示す模式図である。ここではＡｌｉｃｅ１４１とＢｏｂ１４３とが光伝送路１４２で接続されているものとする。
【０００６】
この方法では、Ａｌｉｃｅ１４１が乱数源を２つ持ち、片側(乱数１)で０／１の暗号鍵データを表し、もう一方(乱数２)で乱数１の情報をコーディングする方法を決定する。光子の位相を利用した量子暗号鍵配布方法では、位相０が暗号鍵“０”、位相πが暗号鍵“１”の組を表すコーディングセット（以下、「＋基底」と称する。）と、位相π／２が暗号鍵“０”、位相３π／２が暗号鍵“１”を表すコーディングセット（以下、「×基底」と称する。）と、の２組の基底を乱数２で選択する。つまり１つの光子に対して、０、π／２、π、３π／２の４通りの変調をランダムに施してＢｏｂへと送信する。
【０００７】
一方、Ｂｏｂ１４３では基底に対応する乱数源（乱数３）を持ち、Ａｌｉｃｅ１４１より送られてきた光子に対してデコードを行う。乱数３の値が“０”である場合、光子に対して位相０（＋基底）の変調を、“１”である時には位相π／２（×基底）の変調を施す。ここで光学干渉計出力として得られた乱数を乱数４とする。
【０００８】
Ａｌｉｃｅ／Ｂｏｂ両者が施した変調の基底が同一である場合（乱数２＝乱数３）、乱数１の値をＢｏｂは正しく検出することができ（乱数１＝乱数４）、異なる場合（乱数２≠乱数３）には乱数１の値に依らずＢｏｂは乱数４として０／１の値をランダムに得る。乱数１／２／３は共に１ビット毎に変化する乱数であるから、基底が一致する確率と不一致である確率は共に５０％となるが、後段の基底照合(Basis Reconciliation)によって基底が不一致となるビットを削除するから、Ａｌｉｃｅ１４１とＢｏｂ１４３は乱数１に対応する０／１ビット列を共有することができる。
【０００９】
しかしながら、上記のようにして共有したビット列には伝送路１４２や受信器に起因する誤りが含まれており、この誤りを訂正する誤り訂正処理が必要となる。加えて伝送路途中に存在する盗聴者が光子情報を覗き見た場合にも共有ビット列に誤りが発生する。したがって、最終的に使用する暗号鍵を共有するためには、誤りを訂正する誤り訂正処理だけでなく、誤りの頻度（誤り率）に基づいて、盗聴されたと想定し得る情報量を削減する秘匿増強処理が必要となる。なお「盗聴されたと想定し得る情報量」を推定する方法は、非特許文献２および３に記載されている。
【００１０】
図１２は、一般的な量子暗号鍵生成の流れを示すフローチャートである。Ａｌｉｃｅより送られた暗号鍵の元乱数（鍵の素）は、量子暗号鍵配布（単一光子伝送）Ｓ１によって大部分の情報量が失われる。この段階でＡｌｉｃｅとＢｏｂで共有されている鍵を生鍵(Raw Key)と呼び、上述した基底照合Ｓ２を行った後で半減した暗号鍵を選別鍵(Sifted Key)と呼ぶ。この後、量子鍵配布段階で混入した誤りを訂正する誤り訂正(Error Correction)Ｓ３過程と、盗聴者に漏れていると想定され得る情報量を削ぎ落とす秘匿増強(Privacy Amplification)Ｓ４とを経て、残りが実際に暗号鍵として使用される最終鍵となる。このような量子暗号鍵を共有する技術がいくつか提案されている。
【００１１】
たとえば、特開２０００−１７４７４７号公報（特許文献１）には、量子チャネルと古典チャネルとを用いて送信側および受信側で秘密鍵を共有する量子暗号装置が開示されている。具体的には、送信者側で乱数表からビット値を取り出し、それに従って光パルスを微小変調し、量子チャネルを通して送信する。受信者側は、別途乱数表からビット値を取り出し、それに従って受信した光パルスを再変調し、光子が検出されたか否かを古典チャネルを通して送信者側へ通知する。送信者側では、受信者側で光子が検出されたビット値のみを用いて乱数表を構成する。これによって、送信者および受信者に共通の乱数表が記憶されたこととなる。さらに、盗聴の有無を確認するために、共通乱数表から適当な割合で照合ビットを抽出し、それらを古典チャネルを通して照合し、十分な数のビットが一致すれば、照合ビットを除いたビット列を共有の秘密鍵として使用する（明細書段落００３６〜００３９参照）。
【００１２】
特開２００４−１１２２７８号公報（特許文献２）には、量子通信路（量子チャネル）を通ることによって発生するデータ誤りを除去することで、共通鍵の生成効率を向上させる量子鍵配送方法が開示されている。より詳しくは、送信側は、乱数列（送信データ）およびランダムに決定された基底（送信コード）により規定された量子状態で光子を量子通信路を通して送信する。受信側では、受信した光子を測定し、その測定結果とランダムに決定された基底（受信コード）とにより規定された受信データを得る。そして、公開通信路を通した手順で基底の一致したビットのみを残すことで、送信側および受信側に共有情報が記憶される。続いて、送信側はパリティ検査行列および送信データから生成される所定ビット数の誤り訂正情報を公開通信路を通して送信する。受信側は、受信した誤り訂正情報、上記受信データおよび同一のパリティ検査行列を用いて、受信データの誤りを訂正する。誤り訂正で公開された情報に応じて、訂正後の共有情報の一部が捨てられ、残りの情報を共有の暗号鍵として生成する（明細書段落００１６〜００２０、図１、図２、図９参照）。
【００１３】
【特許文献１】特開２０００−１７４７４７号公報（明細書段落００３６〜００３９参照）
【特許文献２】特開２００４−１１２２７８号公報（明細書段落００１６〜００２０、図１、図２、図９参照）
【非特許文献１】"IEEE Int. Conf. on Computers, Systems, and Signal Processing, Bangalore, India, p.175", Bennett, Brassard
【非特許文献２】"Estimates for practical quantum cryptography", Physical Review A, Vol.59, No.5, pp.3301, N. Lutkenhaus
【非特許文献３】"Eavesdropping on practical quantum cryptography" quantum-ph / 0211155, M. Williamson
【非特許文献４】"Automated 'plug & play' quantum key distribution", Electronics Letters, Vol.34, No.22, pp2116-2117, G. Ribordy
【非特許文献５】"Balanced, gated-mode photon detector for quantum-bit discrimination at 1550nm" Optics letters, vol. 27 (2002) pp1827-1829, A. Tomita
【非特許文献６】"High-Speed QKD System Synchronized by Automatic Phase-Alignment Mechanism", OFC2005, OWI4, W. Maeda
【非特許文献７】"Temperature independent QKD system using alternative-shifted phase modulation method", ECOC2004, Tu4.5.3, A. Tanaka
【発明の開示】
【発明が解決しようとする課題】
【００１４】
しかしながら、上述した量子暗号鍵配布を現実世界で実現しようとすると、様々な原因によって上記誤り率が上昇することがある。具体的には、単一光子に情報を載せて伝送するので伝送路途中で消失するビットが多く、Ａｌｉｃｅ−Ｂｏｂ間でのビット対応の誤認識が生じやすい。この誤認識によって誤り率が劣化し、暗号鍵の生成が行えなくなる。以下、送信側と受信側との間でビット位置の同期が取れていること、すなわちビット対応の正しい認識が成立している状態を「フレーム同期」、ビット対応が誤認識されている状態を「フレーム同期ずれ」、フレーム同期ずれをフレーム同期状態に正しく合わせる処理を「フレーム同期処理」と称す。
【００１５】
上述したように、送信側と受信側で情報を共有するためには、どのビットが正しく検出され、どのビットが検出されなかったかを、送信器および受信器の双方で特定できなければならない。言い換えれば、量子暗号鍵配布システムでは送信器と受信器とでビット位置の同期を確立することが必要である。鍵生成フローにおいて、ビット位置の同期確立は大前提であり、同期が確立していないと最終鍵は生成できない。
【００１６】
しかしながら、上記従来の方法では、伝送路の伸縮や装置内の処理のずれによって、フレーム同期が外れる可能性が残されている。実際の運用において同期がはずれた場合、特許文献１に記載された鍵生成フローでは、照合ビットが十分一致しないために、盗聴者を検出したとみなし、再度ビット位置の同期を確立し直して鍵生成を実行することとなる。これでは、それまでに量子通信で生成した鍵は無駄となり、共通鍵の生成効率がきわめて悪くなる。同様に、特許文献２に記載された方法においても、ビット位置の同期が外れた場合には受信データの誤り率が非常に大きくなり、共通鍵を生成できなくなる。特許文献２では、誤り率が大きい場合の処理については全く考慮されていない。
【００１７】
特に、本発明者等は、フレーム同期ずれの原因が伝送路の伸縮などの装置間の処理ずれだけでなく受信器側の装置内の処理ずれも関係していることに注目し、正確なフレーム同期を迅速に確立する同期制御方法を提案する。
【課題を解決するための手段】
【００１８】
上記目的を達成するために、本発明によれば、複数の通信チャネルにより接続された第１通信器と第２通信器との間で共有すべきデータのビット対応を確立する同期制御方法において、ａ）前記第１通信器は、それぞれビットタイミングが相対的に定められた複数のビット列からなる第１データを一の通信チャネルを通して前記第２通信器へ送信し、前記第２通信器は前記一の通信チャネルを通して前記第１通信器から受信した第２データを保存し、ｂ）前記第１通信器と前記第２通信器との間のビットタイミング差である第１同期ずれと、前記第２通信器内のビットタイミング差である第２同期ずれと、を仮設定し、ｃ）仮設定された前記第１同期ずれおよび前記第２同期ずれを所定調整範囲内で順次変更しながら、前記第２データの一部とそれに対応する前記第１データとを照合し、ｄ）前記照合結果に基づいて前記第１同期ずれおよび前記第２同期ずれを確定する、ことを特徴とする。
【００１９】
本発明の一実施例によれば、前記ｃ）は、ｃ．１）仮設定された前記第１同期ずれおよび仮設定された前記第２同期ずれを用いて、前記第２データの一部のビットタイミングにそれぞれ対応する前記第１データのビットタイミングを決定し、ｃ．２）前記第２データの前記一部の値とそれらに対応する前記第１データの値とを照合し、ｃ．３）仮設定された前記第１同期ずれおよび仮設定された前記第２同期ずれの少なくとも一方を所定ステップ変化させ、ｃ．４）前記ｃ．１）〜ｃ．３）を前記所定調整範囲内で繰り返す。前記ｄ）は、前記照合結果のうち最も良好な照合結果をもたらす仮設定された第１同期ずれおよび第２同期ずれを同期確立された前記第１同期ずれおよび前記第２同期ずれとして決定する。
【００２０】
本発明の他の実施例によれば、前記ｃ）は、ｃ．１）仮設定された前記第１同期ずれおよび仮設定された前記第２同期ずれを用いて、前記第２データの一部のビットタイミングにそれぞれ対応する前記第１データのビットタイミングを決定し、ｃ．２）前記第２データの前記一部の値とそれらに対応する前記第１データの値とを照合し、ｃ．３）前記照合結果が所定の閾値より良好でない場合には、仮設定された前記第１同期ずれおよび仮設定された前記第２同期ずれの少なくとも一方を所定ステップ変化させ、ｃ．４）前記ｃ．１）〜ｃ．３）を前記所定調整範囲内で繰り返し、前記ｄ）は、前記ｃ．２）で得られた前記照合結果が前記所定の閾値より良好である場合には、当該照合結果をもたらす仮設定された第１同期ずれおよび第２同期ずれを同期確立された前記第１同期ずれおよび前記第２同期ずれとして決定する。
【００２１】
本発明の更に別の実施例によれば、前記ｃ）およびｄ）は、ｅ．１）仮設定された前記第１同期ずれおよび仮設定された前記第２同期ずれを用いて、前記第２データの一部のビットタイミングにそれぞれ対応する前記第１データのビットタイミングを決定し、ｅ．２）前記第２データの前記一部の値とそれらに対応する前記第１データの値とを照合し、ｅ．３）前記照合結果が第１閾値より良好でない場合には、仮設定された前記第１同期ずれを所定ステップ変化させ、ｅ．４）前記ｅ．１）〜ｅ．３）を前記第１同期ずれの所定調整範囲内で繰り返し、ｅ．５）前記ｅ．２）で得られた前記照合結果が前記第１閾値より良好である場合には、当該照合結果をもたらす仮設定された第１同期ずれを同期確立された前記第１同期ずれとして決定し、ｅ．６）前記ｅ．２）で得られた前記照合結果が前記第１閾値より良好で、かつ、第２閾値より良好でない場合には、仮設定された前記第２同期ずれを所定ステップ変化させ、ｅ．７）前記第２データの前記一部の値とそれらに対応する前記第１データの値とを照合し、ｅ．８）前記ｅ．７）で得られた前記照合結果が前記第２閾値より良好でない場合には、前記ｅ．６）〜ｅ．７）を前記第２同期ずれの所定調整範囲内で繰り返し、ｅ．９）前記ｅ．７）で得られた前記照合結果が前記第２閾値より良好である場合には、当該照合結果をもたらす仮設定された第２同期ずれを同期確立された前記第２同期ずれとして決定する。
【発明の効果】
【００２２】
本発明によれば、第１同期ずれおよび第２同期ずれを所定調整範囲内で順次変更しながら、受信側の第２データの一部とそれに対応する送信側の第１データとを照合し、その照合結果に基づいて第１同期ずれおよび第２同期ずれを確定する。したがって、第１通信器および第２通信器の間の処理ずれだけでなく第２通信器内の処理ずれも考慮するので、正確なフレーム同期を迅速に確立することができ、安定した信頼性の高い通信システムを実現できる。
【００２３】
特に、本発明を量子暗号鍵配布システムに適用した場合、暗号鍵の生成を安定して行うことができる。従来の量子暗号鍵配布技術では誤り率(ＱＢＥＲ)の劣化は盗聴者の存在を意味していたが、本発明では暗号鍵生成を中断する前に復旧処理を施すことができ、環境変化や通信エラー等に起因する誤り率劣化を盗聴行為の存在と誤認識することが無くなる。従って従来であれば鍵生成を中断していたところが、暗号鍵の生成を再開することができるので暗号鍵生成の長時間に渡る安定動作を実現できる。
【発明を実施するための最良の形態】
【００２４】
本発明は、送信側および受信側でデータの同期を必要とする通信システムに広く適用可能であるが、その望ましい実施形態として、ここでは量子暗号鍵配布システムについて説明する。特にＰｌｕｇ＆Ｐｌａｙ方式は、光ファイバ伝送路における偏光の揺らぎを補償することができるため、偏光に敏感な量子暗号鍵配布システムを実用化するための方式として期待されている（非特許文献４および６を参照）。
【００２５】
１．システム構成
図１は本発明の一実施形態によるＰｌｕｇ＆Ｐｌａｙ方式の量子暗号鍵配布システムの構成を示すブロック図である。本実施形態による量子暗号鍵配布システムでは、送信器（Ａｌｉｃｅ）１０と受信器（Ｂｏｂ）２０とが光ファイバ伝送路３０を介して接続されている。
【００２６】
１．１）送信器（Ａｌｉｃｅ）
送信器１０の量子ユニットは、位相変調器１０１および偏光ビームスプリッタ（ＰＢＳ）１０２から構成されるＰＢＳループと可変光減衰器１０３とを有する。位相変調器１０１は、位相制御部１０４から供給される位相制御信号に従って、通過する光パルス列に対して位相変調を行う。位相変調の深さは、ここでは基底（＋／×）を示す乱数および鍵の素データを示す乱数（０／１）の４通りの組み合わせにそれぞれ対応する４通りの深さ（０、π／２、π、３π／２）となる。位相制御信号は変調の深さに対応した電圧であり、光パルスが位相変調器１０１を通過するタイミングで位相変調器１０１に印加され、当該光パルスの位相変調が行われる。位相制御部１０４は、光受信器１０５により受信した同期クロックに従って位相制御信号を位相変調器１０１へ印加するが、後述するように、その印加タイミングと印加電圧は制御部１０７により制御される。
【００２７】
ＰＢＳループはファラデーミラーと同様の機能を有し、ＰＢＳ１０２に受信器側から入射した光の偏光状態が９０度回転して送出される（詳しくは、本出願人により平成１６年１１月１９日に出願された特願２００４−３３５２２８号の明細書、非特許文献７を参照）。受信器２０から入射した量子ユニットの光信号は、光可変減衰器１０３を通してＰＢＳループで上述したように折り返され、光可変減衰器１０３を通して受信器２０へ送出される。光可変減衰器１０３は、量子ユニットの同期を取るためのトレーニングモード時には小さい減衰量に設定され、鍵生成のための量子モード時には単一光子伝送となるように大きい減衰量に設定される。
【００２８】
また、送信器１０は２個の乱数発生器（図示せず）を有し、制御部１０７は一方の乱数発生器で暗号鍵の素データ（０／１）を、もう一方の乱数発生器で基底情報（＋／×）をそれぞれ生成してメモリ１０９に順次格納する。後述するように、格納された乱数のビット番号はメモリ１０９のアドレスを用いて管理される。メモリ１０９としては、高速アクセスが実現できるメモリが望ましく、ここではＳＤＲＡＭを使用する。
【００２９】
鍵生成フローが開始されると、制御部１０７は光可変減衰器１０３の減衰量を大きくし、メモリ１０９から素データおよび基底を１組ずつ順次読み出して位相制御部１０４へ出力する。位相制御部１０４は、素データおよび基底の組に対応した位相制御信号を同期クロックに従って位相変調器１０１へ出力することで、位相変調器１０１を通過する光パルスに対して４通りの深さ（０、π／２、π、３π／２）の変調が施される。
【００３０】
位相制御部１０４に供給される同期クロックは、受信器２０から光ファイバ伝送路３０を通して受信した基準クロックを用いる。基準クロックは光受信器１０５により電気信号に変換され位相制御部１０４へ出力される。同時に、この基準クロックは光送信器１０６へも出力され、基準クロックとして受信器２０へ折り返される。また、制御部１０７は、光送受信器１０８を通して鍵生成、同期処理や補正処理などに必要なデータおよび制御信号を受信器２０の制御部２１１との間でやり取りする。
【００３１】
本実施形態では波長分割多重伝送が用いられ、量子ユニットの通信、基準クロックの送受信および制御部１０７のデータ通信は、それぞれ異なる波長により行われる。送信器１０には波長合分波器１１０が設けられ、光ファイバ伝送路３０から入射した光信号を分波して、光可変減衰器１０３、光受信器１０５および光送受信器１０８へ出力し、逆に、光可変減衰器１０３、光送信器１０６および光送受信器１０８から出射した光信号を合波して光ファイバ伝送路３０へ送出する。すなわち、光ファイバ伝送路３０には、量子ユニットで使用される量子チャネルと、光受信器１０５、光送信器１０６および光送受信器１０８でそれぞれ使用される古典チャネルとが波長多重されている。
【００３２】
１．２）受信器（Ｂｏｂ）
本実施形態における受信器２０の量子ユニットは、光サーキュレータ２０３、光カプラ２０４、位相変調器２０５、ＰＢＳ２０６および光検出器ＡＰＤ０、ＡＰＤ１を有する。光カプラ２０４とＰＢＳ２０６の間には長いパスと短いパスが並列に設けられている。位相変調器２０５は長いパスに設けられ、位相制御部２１０からの位相制御信号により位相変調の深さ（基底）と駆動タイミングとが制御される。光検出器ＡＰＤ０およびＡＰＤ１はアバランシェ・フォトダイオード（ＡＰＤ）であり、位相制御部２１０からの制御信号によりガイガーモード(Gated Geiger Mode)で駆動される（非特許文献５を参照）。
【００３３】
受信器２０には基準クロック源２０１が設けられ、レーザ源２０２は基準クロック源２０１により生成された基準クロックに従って駆動され、同時に、その基準クロックは光送信器２０８を通して送信器１０へ送出される。送信器１０では、その基準クロックを用いて同期タイミングを決定すると共に、その基準クロックをそのまま受信器２０へ折り返す。送信器１０から折り返された基準クロックは光受信器２０９によって受信され、受信器２０の同期クロックとして位相制御部２１０へ供給される。位相制御部２１０は、制御部２１１の制御の下で、供給された基準クロックに同期するように位相変調器２０５の位相変調の深さおよび電圧印加タイミングを制御し、光検出器ＡＰＤ０およびＡＰＤ１に光子検出のための逆バイアス電圧の印加タイミングを制御する。
【００３４】
また、受信器２０は１個の乱数発生器（図示せず）を有し、制御部２１１は乱数発生器で基底情報（＋／×）を生成してメモリ２１４に順次格納する。鍵生成フローが開始されると、制御部２１１はメモリ２１４から基底情報を順次読み出し、位相制御部２１０へ出力する。メモリ２１４には、高速アクセスが実現できるメモリが使用される（ここではＳＤＲＡＭ）。位相制御部２１０は、基準クロックに従って位相変調器２０５に対して当該基底に対応する電圧の位相制御信号を印加する。これによって、送信器１０から伝送されてきた光パルスが位相変調器２０５を通過するタイミングに合わせて当該基底に対応した変調を施すことができる。
【００３５】
後述するように送信器１０の位相変調器１０１で変調された光パルスと受信器２０の位相変調器２０５で変調された光パルスとが光カプラ２０４で干渉し、それぞれの位相変調の深さの差に応じて光検出器ＡＰＤ０あるいは光検出器ＡＰＤ１で光子が検出される。光検出器ＡＰＤ０およびＡＰＤ１のそれぞれの検出信号は生鍵として順次メモリ２１３に書き込まれる。なお、メモリ２１３に書き込まれる生鍵のビット番号およびメモリ２１４に格納される基底情報としての乱数のビット番号は、後述するようにそれぞれのメモリのアドレスを用いて管理される。メモリ２１３として、ここでは高速アクセスが実現できるＳＤＲＡＭを使用する。また、メモリ２１３および２１４は同一メモリの別領域であってもよい。
【００３６】
続いて、メモリ２１３に格納された生鍵のビット番号とそれらに対応するメモリ２１４に格納された基底情報とを送信器１０の制御部１０７へ通知し、上述した基底照合を経て基底が不一致の乱数ビットが捨てられるが、その際、基底が一致したビットのうちメモリ１０９に格納された素データとメモリ２１３に格納された検出データとの一致／不一致も検出され、誤り率ＱＢＥＲが算出される。モニタ２１２は誤り率ＱＢＥＲをメモリ２１３に蓄積しつつＱＢＥＲの変化を常時監視し、制御部２１１は誤り率ＱＢＥＲの値あるいはその変化量に応じて、後述する位相補正処理あるいはフレーム同期処理を適宜実行する。
【００３７】
上述したように本実施形態では波長分割多重伝送が用いられ、量子ユニットの通信、基準クロックの送受信および制御部２１１の基底照合等のデータ通信は、それぞれ異なる波長により行われる。受信器２０には波長合分波器２０７が設けられ、光ファイバ伝送路３０から入射した光信号を分波してＰＢＳ２０６、光受信器２０９および光送受信器２１５へ出力し、逆に、ＰＢＳ２０６、光送信器２０８および光送受信器２１５から出射した光信号を合波して光ファイバ伝送路３０へ送出する。
【００３８】
２．システム動作
基準クロック源２０１から供給されるクロック信号に従ってレーザ源２０２から出射した光パルスＰは、光サーキュレータ２０３により光カプラ２０４へ導かれ、光カプラ２０４により２分割される。分割された一方の光パルスＰ１は短いパスを通って直接ＰＢＳ２０６へ送られ、分割された他方の光パルスＰ２は長いパスに設けられた位相変調器２０５を通してＰＢＳ２０６へ送られる。これら光パルスＰ１およびＰ２はＰＢＳ２０６で合波され、ダブルパルスとして波長合分波器２０７および光伝送路３０を通して送信器１０へ送信される。
【００３９】
送信器１０において、伝送路３０から波長合分波器１１０および可変光減衰器１０３を通して到来したダブルパルスＰ１およびＰ２は、ＰＢＳ１０２でさらに分離され、時計回りのダブルパルスＰ１CWおよびＰ２CWと反時計回りのダブルパルスＰ１CCWおよびＰ２CCWの４つのパルス、すなわちカルテットパルスとなって位相変調器１０１をそれぞれ反対方向で通過し、それぞれ出射したポートとは反対のＰＢＳポートへ入射する。
【００４０】
位相変調器１０１は、時計回りのダブルパルスの後方のパルスＰ２CWを前方のパルスＰ１CWに対して位相変調するとともに、反時計回りのダブルパルスと時計回りのダブルパルスとの間にπの位相差を与える。位相変調器１０１は位相制御部１０４の位相制御信号によってカルテットパルスの各パルスに任意の位相変調を施すようにタイミング制御される。
【００４１】
こうして必要に応じて位相変調されたカルテットパルスはＰＢＳ１０２で合波され再びダブルパルスに戻る。上述したように後方のパルスのみが伝送情報により位相変調されたので、出射ダブルパルスをＰ１およびＰ２*aと記す。このときＰＢＳループ入射時に対して出射時は偏波が９０°回転しているので、結果的にファラデーミラーと同等の効果が得られる。
【００４２】
受信器２０のＰＢＳ２０６は、送信器１０から受信した光パルスＰ１およびＰ２*aの偏光状態が９０度回転していることから、これら受信パルスをそれぞれ送信時とは異なるパスへ導く。すなわち受信した光パルスＰ１は長いパスを通り、位相変調器２０５を通過するタイミングで指定された基底で位相変調され、位相変調された光パルスＰ１*bが光カプラ２０４に到達し、他方、光パルスＰ２*aは送信時とは異なる短いパスを通って同じく光カプラ２０４に到達する。
【００４３】
こうして送信器１０で位相変調された光パルスＰ２*aと受信器２０で位相変調された光パルスＰ１*bとが干渉し、その結果が光子検出器ＡＰＤ０またはＡＰＤ１により検出される。光子検出器ＡＰＤ０およびＡＰＤ１は、位相制御部２１０から供給されるクロック信号に従ってガイガーモードで駆動され、その検出データはメモリ２１３に順次格納される。そして基底照合の際に算出されたＱＢＥＲがモニタ２１２により監視され、制御部２１１は、誤り率ＱＢＥＲと予め格納された閾値とを比較しながら、必要に応じてフレーム同期の復旧処理を実行する。以下、本発明の望ましい実施例によるフレーム同期制御方法について詳細に説明する。これら実施例によるフレーム同期制御方法は、送信器１０の制御部１０７と受信器２０の制御部２１１およびモニタ２１２とによって実行されるが、送信器１０および受信器２０のそれぞれのプログラム制御プロセッサ上でフレーム同期制御プログラムを実行することで同様の機能を実現してもよい。
【実施例１】
【００４４】
１．１）装置間および装置内の処理ずれの定義
図２は、量子暗号鍵配布システムにおける装置間および装置内の伝搬遅延によりビット番号がずれる様子を示した模式図である。上述したように、データおよび基底のビット番号はメモリのアドレスにより管理される。
【００４５】
送信器１０のメモリ１０９には、暗号鍵の素データの乱数がアドレス( … i-3, i-2, i-1, i, i+1,…)に、基底情報の乱数がアドレス( … j-3, j-2, j-1, j, j+1,…)にそれぞれ格納され、ｉとｊとが対応しているものとする。位相変調器１０１によって変調を施す時、制御部１０７はメモリ１０９のアドレスｉ，ｊからそれぞれデータおよび基底を読み出し、その組み合わせに対応した変調の深さで位相変調器１０１により光パルスの位相変調が行われる。ただし、装置内の等遅延設計により、アドレスｉおよびｊからの読み出しには遅延差がなく、ｉ＝ｊを常に満たすものと仮定する。
【００４６】
送信器１０から送出されたダブルパルスは、上述したように受信器２０のＰＢＳ２０６で受信器２０を出射したときは別のパスに導かれ、一方は短いパスを通してそのまま光カプラ２０４へ、他方は長いパスを通して位相変調器２０５で位相変調され光カプラ２０４へ到達する。位相変調器２０５によって変調を施す時、制御部２１１はメモリ２１４のアドレス（ｋ）から基底を読み出し、それに対応した変調の深さで位相変調器２０５が光パルスに位相変調を行う。
【００４７】
こうして光検出器ＡＰＤ０およびＡＰＤ１により検出されたデータはメモリ２１３のアドレスｌ（エル），ｍに順次書き込まれる。この場合も装置内の等遅延設計により、アドレスｌおよびｍへの書き込みには遅延差がなく、ｌ＝ｍを常に満たすものと仮定する。
【００４８】
このように、送信器１０におけるメモリ１０９の読み出しアドレスｉ，ｊ、受信器２０におけるメモリ２１４の読み出しアドレスｋおよびメモリ２１３の書き込みアドレスｌ，ｍは全て異なる値となるが、送信側のどのビットが受信側のどのビットに対応するかを正しく認識するためには、これらのメモリの間でアドレスの対応関係を決定しておく必要がある。
【００４９】
そこで、ｉ＝ｊおよびｌ＝ｍが常に満たされるとして、送信器１０のメモリ１０９の変調アドレスと受信器２０のメモリ２１３の検出アドレスとの差を装置間アドレス差分ＧD(= l - i)、受信器２０の内部での変調アドレスと検出アドレスとの差を装置内アドレス差分ＧI(= l - k)と呼ぶ。
【００５０】
１．２）フレーム同期ずれとＱＢＥＲ劣化
装置間アドレス差分ＧDおよび／または装置内アドレス差分ＧIが温度変化等の原因で変動すると、ＱＢＥＲは次のように変動する。なお、簡単の為にＡｌｉｃｅから送信したビットは全てＢｏｂに誤り無く届くと仮定する。
【００５１】
ａ）ＧD, ＧI共に正しい場合
図３は、装置間アドレス差分ＧDと装置内アドレス差分ＧIとが共に正しい場合のビット対応を示す模式図である。ＱＢＥＲの計算では、Ａｌｉｃｅ及びＢｏｂにおいて施した変調の基底（Ｂａｓｉｓ）が一致するビットに関してデータの一致率を計算する。図４に示す様に、基底の一致しないビットに関しては誤り率に影響せず、基底の一致したビットではＡｌｉｃｅ側のデータＡとＢｏｂ側のデータＢとは一致するので、ＱＢＥＲは０％となる。
【００５２】
ｂ）ＧDが正しくない場合
図４は、装置間アドレス差分ＧDが正しくない場合のビット対応を示す模式図である。この場合には、基底照合の際に比較するビットが異なるので相関の無い乱数をずらして比較することとなり、ＱＢＥＲは約５０％となる。しかしながら、ＱＢＥＲを計算する際のビット量によって、フレーム同期ずれが計算範囲の途中で生じたり計算結果そのもののばらつき等も生じたりする。したがって、これらも考慮してＱＢＥＲ計算結果が３０％〜６０％程度の範囲内であれば、ＧDが正しくない場合のフレーム同期ずれが生じていると判断できる。このＧD不正フレーム同期ずれを判定する基準として、装置間フレーム同期ずれ閾値Ｑbitを３０％〜６０％の範囲内に設定する。
【００５３】
ｃ）ＧIが正しくない場合
図５（Ａ）は装置内アドレス差分ＧIが正しくない場合のビット対応を示す模式図であり、（Ｂ）はこの場合のＱＢＥＲの推定範囲を説明するための図である。この場合には、図５（Ａ）に示すように、Ｂｏｂ内部で変調のための基底情報アドレスと検出信号の書き込みアドレスとがずれている。したがって、ＱＢＥＲ計算は上記（ａ）、（ｂ）の様に単純ではなく、図５（Ｂ）の様な場合分けで考える必要がある。
【００５４】
まず、Ａｌｉｃｅにおいてｉビット目で変調された光子が、Ｂｏｂにおいて（ｉ＋１）ビット目で変調され、ｉビット目で受信されたと仮定する。但し、Ｂｏｂはｉビット目で変調したものと誤認している。
【００５５】
Ａｌｉｃｅのｉビット目の基底BasisAiとＢｏｂのｉビット目の基底BasisBiとが一致する確率も一致しない確率も共に５０％である。ただし、ｉビット目の基底が一致しない場合（BasisAi≠BasisBi）はＱＢＥＲに影響ないので、一致する場合（BasisAi＝BasisBi）のみ検討すればよい。
【００５６】
上述したように、実際にＢｏｂにおいて光子が変調を受けた基底は（ｉ＋１）ビット目であるから、（ｉ＋１）ビット目の基底BasisBi+1とｉビット目の基底BasisBiとが一致する場合（BasisBi＝BasisBi+1）は誤り無く受信することができ（１００％）、異なる場合（BasisBi≠BasisBi+1）は５０％の確率で誤受信することになる。
【００５７】
したがって、結果としてビットが誤りとなる確率は、５０％×５０％＝２５％となる。ＱＢＥＲを計算する際のビット量によって、フレーム同期ずれが計算範囲の途中で生じたり計算結果そのもののばらつき等も生じたりするので、これらを考慮してＱＢＥＲ計算結果が１５％〜３０％程度の範囲内であれば、ＧIが正しくない場合のフレーム同期ずれが生じていると判断できる。このＧI不正フレーム同期ずれを判定する基準として、装置内フレーム同期ずれ閾値Ｑinを１５％〜３０％の範囲内に設定する。
【００５８】
上述した各ケースのフレーム同期ずれは、ＣＰＵの処理エラーやＡｌｉｃｅ／Ｂｏｂ間の通信エラー等の要因で引き起こされるが、次に説明するフレーム同期処理を実行することで劣化前のＱＢＥＲに復旧可能である。
【００５９】
１．３）フレーム同期制御
以下、本実施例におけるフレーム同期制御について詳細に説明する。
【００６０】
図６は、本発明の第１実施例による送信器および受信器の間で行われるフレーム同期制御の過程を示すシーケンス図である。まず、受信器（Ｂｏｂ）１０の制御部２１１は装置内アドレス差分ＧIの概算値としてＧI’を仮設定する。そしてメモリ２１３のアドレスｌ，ｍに対応するタイミングで光子を検出した場合（以下、「ｌビット目」という。）、制御部２１１は、当該アドレスの検出データ（０／１）と、当該アドレスに対応するメモリ２１４のアドレス（ｋ）の周りの所定範囲（ｌ−ＧI’）〜（ｌ−ＧI’＋ｇｉ）に格納された基底と、を送信器１０へ送信する。ここで、ｇｉは装置内アドレス差分ＧIの調整範囲を示す。
【００６１】
送信器（Ａｌｉｃｅ）１０の制御部１０７は装置間アドレス差分ＧDの概算値としてＧD’を仮設定する。受信器２０から受信したｌビット目の検出データと（ｌ−ＧI’）〜（ｌ−ＧI’＋ｇｉ）ビット目の基底（Ｂｏｂ）の各々との組み合わせに対して、メモリ１０９における対応ビット（ｌ−ＧD’）の周りの所定範囲（ｌ−ＧD’）〜（ｌ−ＧD’＋ｇｄ）に格納されたデータおよび基底（Ａｌｉｃｅ）との照合を行い、それぞれＱＢＥＲを算出する。ここで、ｇｄは装置間アドレス差分ＧDの調整範囲を示す。このようにして最もＱＢＥＲの低くなるＧDおよびＧIを決定することでフレーム同期を確立した後、これらの差分値を使用して暗号鍵抽出を行う。
【００６２】
ここで誤り率ＱＢＥＲは、（ｌ−ＧD’）〜（ｌ−ＧD’＋ｇｄ）ビット目の基底（Ａｌｉｃｅ）の各々と、（ｌ−ＧI’）〜（ｌ−ＧI’＋ｇｉ）ビット目の基底（Ｂｏｂ）の各々とが同一であるビットに対して、それに対応するＡｌｉｃｅ側のメモリ１０９に格納された素データとＢｏｂ側のｌビット目の検出データとの一致率を計算することで求めることができる。
【００６３】
上述したように、本発明の第１実施例によれば、ＧDおよびＧIを総当たり的に変化させ、ＱＢＥＲが最小値を示すＧDおよびＧIをフレーム同期を確立したアドレス差分として以後の暗号鍵生成プロセスで使用する。しかしながら、現実問題として、温度変動による光伝送路の伸縮や受信器内での電気回路の遅延変動などによってビット位置の同期が外れる可能性があるので、後述するように誤り率ＱＢＥＲ等を監視項目として常時監視し、通信品質が劣化した場合には、上記フレーム同期処理を実行してＧDおよびＧIを再設定する必要がある。
【実施例２】
【００６４】
図７は本発明の第２実施例によるフレーム同期制御を示すフローチャートである。本実施例では、ＧDおよびＧIを総当たり的に変化させ、ＱＢＥＲがフレーム同期処理用閾値Ｑbitを下回る時のＧDおよびＧIをもってフレーム同期を終了する。
【００６５】
図７において、量子鍵配布の後、ＧI＝ＧI’およびＧD＝ＧD’と仮設定する（ステップＳ１１）。ここで、ＧI’は装置内ビットずれ仮補正値（ｌ−ｋの概算値）であり、ＧD’は装置間ビットずれ仮補正値（ｌ−ｉの概算値）である。
【００６６】
続いて、（ｌ−ＧD）ビット目のＡｌｉｃｅ側メモリ１０９の基底と（ｌ−ＧI）ビット目のＢｏｂ側メモリ２１４の基底とが同一であるビットに対して、（ｌ−ＧD）ビット目のＡｌｉｃｅ側のメモリ１０９に格納された素データとｌビット目のＢｏｂ側メモリ２１３に格納された検出データとの一致率を計算することでＱＢＥＲを計算する（ステップＳ１２）。
【００６７】
次に、計算されたＱＢＥＲと装置間フレーム同期処理用閾値Ｑbitとが比較され（ステップＳ１３）、ＱＢＥＲがＱbit以上であれば（ステップＳ１３のＮｏ）、ＧDが調整範囲の下限（ＧD’−ｇｄ）まで到達したか否かが判断される（ステップＳ１４）。ＧDがさらに調整可能であれば（ステップＳ１４のＮｏ）、ＧDを１減少させ（ステップＳ１５）、ステップＳ１２へ戻る。
【００６８】
こうして、ＧDが（ＧD’−ｇｄ）に到達するまで１ずつ変化させながら、その都度ＱＢＥＲを計算し、その間にＱＢＥＲ＜Ｑbitになれば（ステップＳ１３のＹｅｓ）、フレーム同期処理を完了する。
【００６９】
ＧDが（ＧD’−ｇｄ）に到達すると（ステップＳ１４のＹｅｓ）、ＧIが調整範囲の下限（ＧI’−ｇｉ）まで到達したか否かが判断される（ステップＳ１６）。ＧIがさらに調整可能であれば（ステップＳ１６のＮｏ）、ＧIを１減少させるとともにＧDを初期の仮設定値ＧD’に戻し（ステップＳ１７）、上記ステップＳ１２〜Ｓ１５を繰り返す。すなわち、ＧIが（ＧI’−ｇｉ）に到達するまで１ずつ減少させながら、ステップＳ１２〜Ｓ１５を繰り返し、その都度ＱＢＥＲを計算し、その間にＱＢＥＲ＜Ｑbitになれば（ステップＳ１３のＹｅｓ）、フレーム同期処理を完了する。
【００７０】
このようにしてＱＢＥＲ＜ＱbitになることなくＧIが（ＧI’−ｇｉ）に到達すると（ステップＳ１６のＹｅｓ）、総当たりでもＱＢＥＲが改善されなかったこととなり、フレーム同期失敗と判断し鍵生成を中断する。
【実施例３】
【００７１】
図８は本発明の第３実施例によるフレーム同期制御を示すフローチャートである。本実施例では、上述したようにＧDが正しくない場合の誤り率ＱＢＥＲが５０％、ＧIのみ正しくない場合のＱＢＥＲが２５％になることを利用し、ＧDを先に決定し、その後でＧIを決定する。
【００７２】
図８において、量子鍵配布の後、ＧI＝ＧI’およびＧD＝ＧD’と仮設定する（ステップＳ１１）。続いて、（ｌ−ＧD）ビット目のＡｌｉｃｅ側メモリ１０９の基底と（ｌ−ＧI）ビット目のＢｏｂ側メモリ２１４の基底とが同一であるビットに対して、（ｌ−ＧD）ビット目のＡｌｉｃｅ側のメモリ１０９に格納された素データとｌビット目のＢｏｂ側メモリ２１３に格納された検出データとの一致率を計算することでＱＢＥＲを計算する（ステップＳ１２）。
【００７３】
次に、計算されたＱＢＥＲと装置間フレーム同期処理用閾値Ｑbitとが比較され（ステップＳ１３）、ＱＢＥＲがＱbit以上であれば（ステップＳ１３のＮｏ）、ＧDが調整範囲の下限（ＧD’−ｇｄ）まで到達したか否かが判断される（ステップＳ１４）。ＧDがさらに調整可能であれば（ステップＳ１４のＮｏ）、ＧDを１減少させ（ステップＳ１５）、ステップＳ１２へ戻る。
【００７４】
こうして、ＧDが（ＧD’−ｇｄ）に到達するまで１ずつ変化させながら、その都度ＱＢＥＲを計算し、ＱＢＥＲ＜ＱbitになることなくＧDが（ＧD’−ｇｄ）に到達すると（ステップＳ１４のＹｅｓ）、フレーム同期失敗と判断し鍵生成を中断する。
【００７５】
ＱＢＥＲ＜Ｑbitになれば（ステップＳ１３のＹｅｓ）、続いてＱＢＥＲと装置内フレーム同期処理用閾値Ｑinとが比較される（ステップＳ２１）。ＱＢＥＲがＱin以上であれば（ステップＳ２１のＮｏ）、ＧIが調整範囲の下限（ＧI’−ｇｉ）まで到達したか否かが判断される（ステップＳ２２）。ＧIがさらに調整可能であれば（ステップＳ２２のＮｏ）、ＧIを１減少させ（ステップＳ２３）、ＱＢＥＲを計算して（ステップＳ２４）、ステップＳ２１へ戻る。
【００７６】
こうして、ＧIが（ＧI’−ｇｉ）に到達するまで１ずつ変化させながら、その都度ＱＢＥＲを計算し、ＱＢＥＲ＜Ｑinになれば（ステップＳ２１のＹｅｓ）、フレーム同期を完了し、ＱＢＥＲ＜ＱinになることなくＧIが（ＧI’−ｇｉ）に到達すると（ステップＳ２２のＹｅｓ）、フレーム同期失敗と判断し鍵生成を中断する。
【００７７】
３．適用例１
上述したように、本発明によれば、ＧDおよびＧIを変化させ、ＱＢＥＲが最小となる、あるいは所定閾値を下回る、ＧDおよびＧIをフレーム同期が確立したアドレス差分とし、以後の暗号鍵生成プロセスで使用する。しかしながら、現実問題として、温度変動による光伝送路の伸縮や受信器内での電気回路の遅延変動などによってビット位置の同期が外れる可能性があるので、誤り率ＱＢＥＲ等を監視項目として常時監視し、通信品質が劣化した場合には上記フレーム同期処理を実行してＧDおよびＧIを再設定する必要がある。以下、本発明の第１適用例を説明する。
【００７８】
図９（Ａ）は本発明によるフレーム同期処理を利用したネットワーク監視制御の一例を示すフローチャートであり、（Ｂ）は誤り率ＱＢＥＲの変化に応じた位相補正およびフレーム同期処理の一例を示す模式的グラフである。本適用例では図９（Ａ）のシーケンスに基づいてシステムの障害検出と復旧作業を行う。
【００７９】
モニタ２１２は、上述したように、量子暗号鍵配布Ｓ１０１において算出されたＱＢＥＲを監視し、制御部２１１はＱＢＥＲとフレーム同期処理用の閾値Ｑbitとを比較し（ステップＳ１０２）、ＱＢＥＲ＜Ｑbitであれば、さらに位相補正処理用の閾値Ｑphaseと比較する（ステップＳ１０３）。ＱＢＥＲ＜Ｑphaseであれば（ステップＳ１０３のＹｅｓ）、後続する鍵生成フロー、ここでは誤り訂正、残留誤り検出および秘匿増強の各処理が実行される（ステップＳ１０４）。
【００８０】
これに対して、ＱＢＥＲ＜Ｑbitであるが（ステップＳ１０２のＹｅｓ）、位相補正処理用の閾値Ｑphase以上に悪化している場合には（ステップＳ１０３のＮｏ）、位相補正処理が実行される（ステップＳ１０５）。なお、「位相ずれ」とは光子の通過／到達タイミングとクロックタイミングとのずれをいう。「位相補正処理」としては、非特許文献６に記載された位相整合(Phase alignment）を用いる方法あるいは位相制御部を制御してクロックタイミングをシフトさせながらモニタ２１２で最小のＱＢＥＲとなるタイミングに合わせる処理などがある。
【００８１】
位相補正処理Ｓ１０５が終了すると、続いてフレーム同期処理を実行する（ステップＳ１０６）。すでに定義したように、「フレーム同期」とは送信側と受信側との間で情報ビットの同期が取れていること、すなわちビット対応の正しい認識が成立している状態をいい、「フレーム同期ずれ」とはビット対応が誤認識されている状態をいう。また「フレーム同期処理」とは、ビット対応をシフトさせながらＱＢＥＲが最小となるビット対応に再設定することであるが、具体的には後述するフレーム同期処理の項で説明する。
【００８２】
フレーム同期処理Ｓ１０６が終了すると、制御部２１１は再計算されたＱＢＥＲと盗聴検出用の閾値ＱEveとを比較する（ステップＳ１０７）。ＱＢＥＲ＜ＱEveであれば（ステップＳ１０７のＹｅｓ）、再びステップＳ１０２に戻る。
【００８３】
他方、ＱＢＥＲがフレーム同期処理用の閾値Ｑbit以上に悪化していれば（ステップＳ１０２のＮｏ）、上述したフレーム同期処理（ステップＳ１０６）を行い、続いてステップＳ１０７を実行する。
【００８４】
ここで位相補正処理Ｓ１０５を実行した後にフレーム同期処理Ｓ１０６を実行するのは、位相補正処理によってクロックの位相が変化し、フレーム同期ずれを誘発している可能性があるからである。また一般的に、フレーム同期処理と位相補正処理とを比べると、フレーム同期処理に要する時間の方が位相補正処理のそれと比べて格段に短いために、位相補正処理を行うに当たって、追加してフレーム同期処理を行うことに時間的な損失が大きくないからでもある。
【００８５】
ステップＳ１０７においてＱＢＥＲがＱEve以上に悪化していれば（ステップＳ１０７のＮｏ）、制御部２１１はＱＢＥＲ＜ＱEveとなるまで位相補正処理Ｓ１０５およびフレーム同期処理Ｓ１０６を所定回数（Ｎ）だけ連続して繰り返す（ステップＳ１０８）。所定回数繰り返してもＱＢＥＲが改善しなければ（ステップＳ１０８のＹｅｓ）、その時初めて暗号鍵生成フローを中断する（ステップＳ１０９）。その際、盗聴の可能性があることを示すアラームを生成することが望ましい。
【００８６】
なお、ＱＢＥＲは確率的に定まる値であり有限の偏差を有する。したがってＱＢＥＲの閾値ＱbitやＱphaseを設定して「この値を超えると障害」と判断するだけではなく、「複数回連続して閾値を超えると障害」といった判断も必要である。
【００８７】
量子鍵配布中に盗聴行為によって情報が漏れている場合にもＱＢＥＲは劣化するが、この劣化はシステム復旧によって改善しない。したがって、所定回数連続して位相補正処理Ｓ１０５およびフレーム同期処理Ｓ１０６を繰り返しても復旧しない場合は、「盗聴の可能性有り」として暗号鍵の生成を中断する。
【００８８】
ここで、非特許文献２および３に示した漏洩情報量推定手段を用いて盗聴された可能性のある情報量を破棄することにより暗号鍵生成は行うことができるが、ある誤り率の値を超えると安全な暗号鍵生成が行えなくなる。したがって、この値を盗聴検出用の閾値ＱEveとして使用する。
【００８９】
また、装置内に使用しているデバイス自体の故障により誤り率が増加することもあるが、本装置の最終目的は、第三者に漏洩することなく共有暗号鍵を生成することであるから、ＱＢＥＲに変化を及ぼさない障害は無視できる。従って、暗号鍵生成を中断するトリガは、システム復旧後でも閾値ＱEveを超えている場合として構わない。
【００９０】
図９（Ｂ）は、一例としてＱbit＝３０％、Ｑphase＝１０％、ＱEve＝１０％強に設定した場合のＱＢＥＲの変化と位相補正処理Ｓ１０５およびフレーム同期処理Ｓ１０６を模式的に示したものである。図示されているように、ＱＢＥＲが劣化しても位相補正処理Ｓ１０５およびフレーム同期処理Ｓ１０６を実行することで復旧できるかどうかをチェックし、復旧すれば、そのまま鍵生成フローを続行することができ、鍵生成効率を改善することができる。また、何回か試みても復旧できない場合に「盗聴の可能性有り」と判断して暗号鍵の生成を中断するので、鍵生成の効率性とともに安全性も担保される。
【００９１】
３．１）変調・検出位相ずれ
図１に示すような往復型の量子暗号鍵配布システムは、ＰＭＤ(Polarization Mode Dispersion)やＰＤＬ(Polarization Dependent Loss)といった伝送路における偏波方向依存の擾乱を抑制すると共に、光子パルスに載せられた位相情報を読み取るために必要な光学干渉計を効率良く組織できる、という利点を有する。
【００９２】
一方、往復型のシステムであるが故に、光子パルスに位相情報を載せるために用いる位相変調器を双方向で使用する必要が生じ、位相変調器を単一方向で使用する場合と比べて高い変調タイミング精度が必要になる。ここで、光子パルスが位相変調器を通過するタイミングと位相変調器を駆動するタイミングがずれると、所望量の位相変調を施すことができなくなり、干渉計の信号対雑音比（ＳＮ比）に対応する明瞭度が低下する。この低下は即ちＱＢＥＲの劣化に対応する。
【００９３】
上述したように、送信器１０の位相変調器１０１によって通過光パルスに位相変調を施し、それを可変光減衰器１０３によって単一光子状態まで減衰させて受信器２０へ送信する。受信器２０では、単一光子状態の光パルスを位相変調器２０５によって位相変調し干渉させることで平衡型ゲートモード光子検出器ＡＰＤ０、ＡＰＤ１（非特許文献５）で光子検出を行う。一般的に、ＡＰＤにゲート電圧を印加し始めた直後に光子が入射するようにタイミング調整するとＡＰＤ内部で最も雪崩増倍が起こりやすくなることが知られている。光子入射のタイミングとＡＰＤへのゲート電圧印加タイミングとがずれると、その分、雪崩増倍が減少し、出力電流も減少してＳＮ比が劣化する。この劣化は即ちＱＢＥＲの劣化に対応する。
【００９４】
このようなタイミングずれ、すなわち光子入射のタイミングと位相変調器／ＡＰＤの駆動タイミングとのずれは、温度変化による光伝送路の遅延変動、電気回路の遅延変動によって引き起こされるので、変化の割合は比較的小さい。従って、クロック位相をシフトさせることで、光子入射のタイミングと位相変調器／ＡＰＤの駆動タイミングとを最適位置に調整することができ、劣化前のＱＢＥＲに復元させることができる。
【００９５】
クロック位相の調整法はいくつか提案されている。非特許文献６には、クロック信号を可変遅延した補正クロック信号と光子検出信号との位相差を検出し、その位相差に応じてクロック信号の遅延量を変化させる温度補償遅延ロックループ（ＤＬＬ）を用いた方法が記載されている（非特許文献６のＦｉｇ．２参照）。また、ＱＢＥＲをモニタしながらクロック位相を徐々にシフトさせ、ＱＢＥＲが最小となるクロック位相を最適位置として設定する方法も利用可能である。
【００９６】
３．２）盗聴者の存在
非特許文献２および３に記載されている盗聴者Ｅｖｅの情報量は、Incoherent Attack(Individual Attack)と呼ばれる盗聴法に基づいている。この盗聴法によれば、Ｅｖｅは１度に１個の光子にだけ自分の持っている量子プローブをエンタングルさせる（絡ませる）ことによって光子パルスに載せられた乱数情報をある程度盗み、Ａｌｉｃｅ／Ｂｏｂ間で基底照合のための通信が行われるまで当該量子プローブを保持する。基底公開後に適切な観測を行うことにより盗聴者は最大限の情報を得ることができる。
【００９７】
非特許文献２および３によれば、ＱＢＥＲが１１〜１５％以上になると、Ｅｖｅの情報がＢｏｂの情報量を上回ることが導かれている。これらのＱＢＥＲ閾値は理論的に導かれたものであり、実世界における様々な制約を加味するとＥｖｅに漏れ得る情報量はより小さくなるが、実装置の雑音指数を理論的に定量化することはできないために一般に上記ＱＢＥＲ閾値を盗聴検出の閾値ＱEveとして使用する。
【００９８】
その他、より現実的な盗聴法として、Ｅｖｅが一旦光子パルスを受光／観測してから観測結果に基づいて再度光子パルスをＢｏｂへと送り直すIntercept/Resend Attackといった盗聴法もある。しかし、この盗聴法でＥｖｅが光子ビットに残す痕跡の大きさはIncoherent Attackのそれと比べて大きいため、この盗聴が行われている場合には誤り率はより大きく劣化する。したがって、ＱＢＥＲ閾値ＱEveを１０％強に設定しておけば、Incoherent Attackに加えてこの盗聴も検出できる。
【００９９】
さらに、ＱＢＥＲは確率的に定まる値であり有限の偏差を有する。したがってＱＢＥＲの閾値を設定して「この値を超えると障害」と判断するだけではなく、「複数回連続して閾値を超えると障害」といった判断が必要となる。具体的には、一定の長さの時間、一定の大きさの空間において、ごく稀な確率で発生する事象の確率分布はポアソン（Poisson）分布に従うことが知られている。ＱＢＥＲが１０％とすると、１０００ビットの試験ビットの中に１００ビット前後の誤りが含まれており、この誤り数は１０ビット分の標準偏差を持つ。つまり誤り数は９０〜１１０ビットまで無為に揺らぎ、これに従って測定されるＱＢＥＲも９％〜１１％まで変化する。この確率的な誤差を小さくするためには、試験ビットを増やすか試験回数を増やすことが必要となる。
【０１００】
盗聴行為によって生じたＱＢＥＲ劣化は、いかなる復旧作業を施しても元に戻ることはない。したがって、システム復旧後に測定したＱＢＥＲが盗聴閾値ＱEveより上回っている場合は「盗聴可能性有り」として暗号鍵生成を中断する。
【０１０１】
３．３）光源・受光器障害
光子パルスを生成するレーザ源および光子パルスを検出する受光器の障害によってもＱＢＥＲは劣化する。レーザ光源のエネルギー変換効率が劣化すると、出力光強度が劣化し、それによって光子受信器に到達する光強度も劣化し、受信器での光子カウント数が減少する。一方、受信器でのノイズ量は入射光強度に依らず一定であるために、結果として暗号鍵のＳＮ比が劣化する。この劣化は即ちＱＢＥＲの劣化に対応する。
【０１０２】
また、光子受信器でも光電変換効率の劣化やバイアス電圧の低下など様々な劣化要因があり、これによって同一光強度を受光していても光子カウント数は劣化する。一方、この様なデバイス劣化によってノイズ量も変化するが、一般的にＳＮ比が劣化することが大半である。つまり、光子受信器の障害によってもＱＢＥＲは劣化する。
【０１０３】
以上のようなデバイスそのものの劣化に起因するＱＢＥＲの劣化は復旧機構によって回復するものではない。したがって、本障害を検出した時にはアラームを上げ暗号鍵の生成を停止する。
【０１０４】
４．適用例２
本発明は、上記実施例の往復型だけでなく、単一方向型の量子暗号鍵配布システムにも同様に適用することができる。
【０１０５】
図１０は本発明によるフレーム同期制御を適用した単一方向型量子暗号鍵配布システムの構成を示すブロック図である。ただし、本発明の動作に関係するモニタやメモリおよび制御系は図１に示すものと同様であるから同一参照番号を付している。
【０１０６】
単一方向型量子暗号鍵配布システムにおいて、送信器（Ａｌｉｃｅ）４０と受信器（Ｂｏｂ）５０とは光ファイバ伝送路３０によって光学的に接続され、レーザ光源４０１およびクロック源４０３は送信器４０に設けられている。
【０１０７】
レーザ光源４０１はクロック源４０３から供給される基準クロックに従って光パルス列を出射する。光パルスは光カプラ４０２で２分割され、一方のパルスＰ１は短いパスに設けられた位相変調器４０５によって位相変調されて光カプラ４０６へ到達し、他方のパルスＰ２は長いパス４０７を通って光カプラ４０６に到達する。したがって、位相変調された光パルスＰ１*Aと遅延した光パルスＰ２とが時間的に相前後したダブルパルスとなり、可変光減衰器４０８および波長合分波器４０９を通して伝送路３０へ送出される。
【０１０８】
位相制御部４０４はクロック源４０３からの基準クロックに従って位相変調器４０５へ位相制御信号を出力し、それに従って位相変調器４０５は通過する光パルスＰ１に位相変調を施す。位相変調の深さは、第１実施例で述べたようにメモリ１０９に格納された（乱数、基底）の組み合わせに依存する。また、クロック源４０３の基準クロックは光送信器４１０によりレーザ源４０１とは異なる波長の光信号として波長合分波器４０９を通して伝送路３０へ送出される。なお、第１実施例と同様に、送信器４０の制御部１０７と受信器５０の制御部２１１とは、光送受信器１０８および２１５を通して同様の波長多重伝送によりフレーム同期や位相補正に必要なデータや制御信号等をやり取りする。
【０１０９】
受信器５０では、光パルスＰ１*Aおよび光パルスＰ２が波長合分波器５０１を通して送信器４０と同様の光学系に入射する。すなわち、それぞれの光パルスは、光カプラ５０２により２分割され、送信器４０と同様の短いパスに設けられた位相変調器５０３と長いパス５０４とを通して光カプラ５０７で合波する。この場合、送信器４０と受信器５０との間の変調の深さの差に依存して光検出器ＡＰＤ０あるいはＡＰＤ１の一方で光パルスが検出できるのは、送信器４０の短いパス（位相変調器４０５）および受信器５０の長いパス５０４を通った光パルスＰ１*Aと、送信器４０の長いパス４０７および受信器５０の短いパス（位相変調器５０３）を通った光パルスＰ２*Bとが同時に光カプラ５０７に到達し干渉する場合である。
【０１１０】
位相制御部５０６は、送信器４０から光受信器５０５を通して受信した基準クロックに従って位相変調器５０３へ位相制御信号を出力し、それに従って位相変調器５０３は通過する光パルスに位相変調を施す。位相変調の深さは、既に述べたようにメモリ２１４に格納された基底に依存する。
【０１１１】
こうして光検出器ＡＰＤ０およびはＡＰＤ１により検出されたデータはモニタ２１２を通してメモリ２１３に書き込まれる。モニタ２１２および制御部２１１の監視制御は、上述した実施例で説明したとおりである。
【産業上の利用可能性】
【０１１２】
本発明は、量子暗号鍵配布技術に代表される共通暗号鍵配布技術を用いた高秘匿通信に利用可能である。量子暗号鍵配布方法は、単一方向型・往復型を問わない。
【図面の簡単な説明】
【０１１３】
【図１】本発明の一実施形態によるＰｌｕｇ＆Ｐｌａｙ方式の量子暗号鍵配布システムの構成を示すブロック図である。
【図２】量子暗号鍵配布システムにおける装置間および装置内の伝搬遅延によりビット番号がずれる様子を示した模式図である。
【図３】装置間アドレス差分ＧDと装置内アドレス差分ＧIとが共に正しい場合のビット対応を示す模式図である。
【図４】装置間アドレス差分ＧDが正しくない場合のビット対応を示す模式図である。
【図５】（Ａ）は装置内アドレス差分ＧIが正しくない場合のビット対応を示す模式図であり、（Ｂ）はこの場合のＱＢＥＲの推定範囲を説明するための図である。
【図６】本発明の第１実施例による送信器および受信器の間で行われるフレーム同期制御の過程を示すシーケンス図である。
【図７】本発明の第２実施例によるフレーム同期制御を示すフローチャートである。
【図８】本発明の第３実施例によるフレーム同期制御を示すフローチャートである。
【図９】（Ａ）は本発明によるフレーム同期処理を利用したネットワーク監視制御の一例を示すフローチャートであり、（Ｂ）は誤り率ＱＢＥＲの変化に応じた位相補正およびフレーム同期処理の一例を示す模式的グラフである。
【図１０】本発明によるフレーム同期制御を適用した単一方向型量子暗号鍵配布システムの構成を示すブロック図である。
【図１１】ＢＢ８４プロトコルによる量子暗号鍵配布方法の概念を示す模式図である。
【図１２】一般的な量子暗号鍵生成の流れを示すフローチャートである。
【符号の説明】
【０１１４】
１０  送信器（Ａｌｉｃｅ）
２０  受信器（Ｂｏｂ）
３０  光ファイバ伝送路
１０１  位相変調器
１０２  偏光ビームスプリッタ
１０３  可変光減衰器
１０４  位相制御部
１０５  光受信器
１０６  光送信器
１０７  制御部
１０８  光送受信器
１０９  メモリ
１１０  波長合分波器
２０１  クロック源
２０２  レーザ源
２０３  光サーキュレータ
２０４  光カプラ
２０５  位相変調器
２０６  偏光ビームスプリッタ
２０７  波長合分波器
２０８  光送信器
２０９  光受信器
２１０  位相制御部
２１１  制御部
２１２  モニタ
２１３  メモリ
２１４  メモリ
２１５  光送受信器
【図１】
0004662040.tif 000002
【図２】
0004662040.tif 000003
【図３】
0004662040.tif 000004
【図４】
0004662040.tif 000005
【図５】
0004662040.tif 000006
【図６】
0004662040.tif 000007
【図７】
0004662040.tif 000008
【図８】
0004662040.tif 000009
【図９】
0004662040.tif 000010
【図１０】
0004662040.tif 000011
【図１１】
0004662040.tif 000012
【図１２】
0004662040.tif 000013